(57)【要約】【課題】タイプ別の医療チーム作成を簡便に行うことが可能な医療チーム作成支援装置、医療チーム作成支援装置の制御方法、医療チーム作成支援プログラム、及び医療チーム作成支援システムを提供することを目的とする。【解決手段】医療チーム作成支援装置１３は、医療チームの作成条件で指定された医療チームのタイプと、タイプ別に基準値が設定された選定条件２５と、医療スタッフに関する複数の評価項目について評価した評価値を含む評価情報２４とを照合し、指定された医療チームのタイプに適合する医療スタッフを選定する。【選択図】図９
2015197734.tif 000002
【特許請求の範囲】
【請求項１】
複数の医療スタッフの中から、メンバーを選定して、医療チームを作成するための医療チーム作成支援装置において、
前記医療スタッフに関する複数の評価項目について評価した評価値を含む評価情報を、前記医療スタッフ毎に記憶する評価情報格納部と、
前記メンバーを選定するために、前記医療スタッフの評価値と照合される基準値を含む選定条件を、前記医療チームのタイプ別に格納する選定条件格納部と、
前記医療チームを作成する作成条件として、前記医療チームのタイプの入力を受け付ける作成条件受付部と、
受け付けた前記タイプに応じた前記基準値と、前記評価値とを照合して、前記医療チームの前記メンバーとなる前記医療スタッフの候補を選定するメンバー選定部と、
を備える医療チーム作成支援装置。
【請求項２】
前記医療チームのタイプは、メンバー間のチームワークを重視するチームワーク重視タイプ、各メンバーの医療スキルを重視するスキル重視タイプ、処置時間の短さを重視するスピード重視タイプ、各メンバーの特定の症例に関する専門知識及び経験を重視する特定症例タイプ、前記複数種類のタイプのバランスを重視するバランス重視タイプ、患者からの反応を重視する患者満足タイプ、及び医療スタッフの経験・スキル向上を重視するトレーニングタイプのうち、少なくとも１種類を含む請求項１に記載の医療チーム作成支援装置。
【請求項３】
前記評価項目には、処置可能な診療内容が含まれており、
前記作成条件受付部は、前記医療チームのタイプに加えて、前記医療チームが処置する診療内容の入力を受け付け、
前記メンバー選定部は、前記医療チームのタイプと前記診療内容に応じた作成条件に基づいて、前記メンバーを選定する請求項１または２に記載の医療チーム作成支援装置。
【請求項４】
前記評価情報は、前記医療スタッフが過去に担当した診療内容を表す担当履歴と、前記医療スタッフの能力評価と、過去の医療チームにおける前記医療スタッフの評価であるチーム評価と、前記過去の医療チームの他のメンバーとの間の人間関係に関する評価である対人評価と、患者からの評価である患者評価のうち、少なくとも１つを含む請求項１から３のいずれか１項に記載の医療チーム作成支援装置。
【請求項５】
前記作成条件受付部が、作成済みの前記医療チームと、前記作成済み医療チームから脱退するメンバーとに関する情報を含む再編要求を受け付けた場合には、
前記メンバー選定部は、前記作成済み医療チームを作成する際に指定された作成条件と、前記評価情報及び前記選定条件とに基づき、前記脱退メンバーの代わりとなる代替メンバー候補を選定する請求項１から４のいずれか１項に記載の医療チーム作成支援装置。
【請求項６】
医療チームの診療対象である患者の診療情報を取得する診療情報取得部と、
前記診療情報に基づき、前記患者の容体が急変するリスクがあるリスク日を特定するリスク日特定部と、を備えており、
前記メンバー選定部は、前記リスク日と、前記医療スタッフのスケジュール情報とに基づいて、前記リスク日にメンバーの選定が可能か否かを判定し、メンバー選定ができない場合に警告を行う請求項１から５のいずれか１項に記載の医療チーム作成支援装置。
【請求項７】
前記医療スタッフのスケジュール情報を取得するスケジュール情報取得部を備えており、
前記作成条件受付部は、前記医療チームのタイプに加えて、前記医療チームの活動期間の入力を受け付け、
前記メンバー選定部は、前記活動期間を含む前記作成条件と、前記スケジュール情報とに基づいて前記メンバーを選定する請求項１から６のいずれか１項に記載の医療チーム作成支援装置。
【請求項８】
複数の医療スタッフの中から、メンバーを選定して、医療チームを作成する医療チーム作成支援装置の制御方法において、
前記医療チームを作成する作成条件として、前記医療チームのタイプの入力を受け付ける作成条件受付ステップと、
前記医療スタッフに関する複数の評価項目について評価した評価値を含む評価情報を、前記医療スタッフ毎に格納する評価情報格納部から、前記評価情報を読み出す評価情報読み出しステップと、
前記メンバーを選定するために、前記医療スタッフの評価値と照合される基準値を含む選定条件を前記医療チームのタイプ別に格納する選定条件格納部から、前記選定条件を読み出す選定条件読み出しステップと、
受け付けた前記タイプに応じた前記基準値と、前記評価値とを照合して、前記医療チームの前記メンバーとなる前記医療スタッフの候補を選定するメンバー選定ステップと、
を備える医療チーム作成支援装置の制御方法。
【請求項９】
複数の医療スタッフの中から、メンバーを選定して、医療チームを作成する医療チーム作成支援プログラムにおいて、
前記医療チームを作成する作成条件として、前記医療チームのタイプの入力を受け付ける作成条件受付ステップと、
前記医療スタッフに関する複数の評価項目について評価した評価値を含む評価情報を、前記医療スタッフ毎に格納する評価情報格納部から、前記評価情報を読み出す評価情報読み出しステップと、
前記メンバーを選定するために、前記医療スタッフの評価値と照合される基準値を含む選定条件を前記医療チームのタイプ別に格納する選定条件格納部から、前記選定条件を読み出す選定条件読み出しステップと、
受け付けた前記タイプに応じた前記基準値と、前記評価値とを照合して、前記医療チームの前記メンバーとなる前記医療スタッフの候補を選定するメンバー選定ステップと、
をコンピュータに実行させる医療チーム作成支援プログラム。
【請求項１０】
医療チームの作成条件を含む作成要求を送信するクライアント端末と、複数の医療スタッフの中から、前記作成条件に適合するメンバーを選定して前記医療チームを作成する医療チーム作成支援装置とを備える医療チーム作成支援システムにおいて、
前記医療チーム作成支援装置は、
前記医療スタッフに関する複数の評価項目について評価した評価値を含む評価情報を、前記医療スタッフ毎に格納する評価情報格納部と、
前記メンバーを選定するために、前記医療スタッフの評価値と照合される基準値を含む選定条件を、前記医療チームのタイプ別に格納する選定条件格納部と、
前記クライアント端末から、前記作成条件として、前記医療チームのタイプの入力を受け付ける作成条件受付部と、
受け付けた前記タイプに応じた前記基準値と、前記評価値とを照合して、前記医療チームの前記メンバーとなる前記医療スタッフの候補を選定するメンバー選定部と、
選定したメンバー候補のリストを前記クライアント端末に配信する配信部と、を備える、
医療チーム作成支援システム。
【発明の詳細な説明】
【技術分野】
【０００１】
本発明は、複数の医療スタッフが連携して患者を診療する医療チームの作成を支援する医療チーム作成支援装置、医療チーム作成支援装置の制御方法、医療チーム作成支援プログラム、及び医療チーム作成支援システムに関する。
【背景技術】
【０００２】
医療現場では、医師や看護師などの医療スタッフをメンバーとする医療チームで患者の診療を行うチーム医療が行われている。特許文献１に記載されているように、チーム医療を導入した医療施設では、例えば、「外科」、「内科」、「心臓外科」、「脳外科」などの診療科毎に予め医療チームを作成しておき、患者が来院した際に対応可能な医療チームが診療にあたっている。また、医療施設によっては、患者毎に医療チームを作成するような運用もされている。いずれにしろ、医療チームは、患者の診療内容に応じて作成される。
【０００３】
医療チームの作成を行うチーム作成担当者は、診療内容、必要な能力などを設定し、各医療スタッフの資格や能力、経験、実績などを考慮して、設定した条件に適合するメンバーを選定する。また、医療チームのチーム全体としての能力は、メンバー個人の能力に加えて、チームワークの良否によっても大きな影響を受けるため、医療チームのメンバーは、各医療スタッフ間の人間関係や相性も考慮して選定される。
【０００４】
特許文献２には、医療チームに関する具体的な記載はないが、業務を遂行するためのチームの作成を自動で行うチーム生成支援装置が開示されている。このチーム生成支援装置は、新たに作成するチームによって行いたい業務内容（業務情報）が入力されると、作業者のスキル情報が格納されているワーカースキルデータベースを検索し、入力された業務内容の作業が可能な作業者を抽出し、抽出された作業者が組み合わされたチーム候補を提示する。また、提示されたチーム候補について評価をするように指示された場合には、相互評価データベースに格納されている過去のチーム作業での相互評価情報に基づいて、各作業者間の人間関係を表す関連度を算出して提示する。このチーム生成支援装置によれば、必要なチームを短時間で自動的に作成することができる。また、作業者間の人間関係を考慮してチームを作成することができる。
【先行技術文献】
【特許文献】
【０００５】
【特許文献１】特開２０１１−１１８６４３号公報
【特許文献２】特開２００１−２８２９６５号公報
【発明の概要】
【発明が解決しようとする課題】
【０００６】
特許文献１、２に記載されているように、医療チームの作成においては、各メンバーの能力やスキル、あるいは、メンバー間の人間関係を考慮することが重要である。ただし、状況や場面によっては、チーム作成において、人間関係（チームワーク）を重視した方がよい場合もあれば、個々のメンバーの能力やスキルを重視した方がよい場合もある。あるいは、緊急対応が必要な場合には、処置のスピードが重要であるため、スピード重視のチーム作成がよい場合もある。このように、実際の医療現場においては、チームワーク重視、スキル重視、スピード重視など、状況や場面によって求められるチームのタイプは様々である。
【０００７】
特許文献１、２には、タイプ別のチーム作成という概念や機能は無い。そのため、タイプ別の医療チームを作成する場合には、各メンバーの能力、経験、実績などをチーム作成担当者が考慮しながら、メンバーを一人ずつ選定していく必要があり、非常に手間がかかるという問題があった。
【０００８】
本発明は、上記問題点を解決するために、タイプ別の医療チーム作成を簡便に行うことが可能な医療チーム作成支援装置、医療チーム作成支援装置の制御方法、医療チーム作成支援プログラム、及び医療チーム作成支援システムを提供することを目的とする。
【課題を解決するための手段】
【０００９】
上記目的を達成するために、本発明の医療チーム作成支援装置は、評価情報格納部、選定条件格納部、作成条件受付部、及びメンバー選定部を備える。評価情報格納部は、医療スタッフに関する複数の評価項目について評価した評価値を含む評価情報を、医療スタッフ毎に記憶する。選定条件格納部は、メンバーを選定するために、医療スタッフの評価値と照合される基準値を含む選定条件を、医療チームのタイプ別に格納する。作成条件受付部は、医療チームを作成する作成条件として、医療チームのタイプの入力を受け付ける。メンバー選定部は、受け付けたタイプに応じた基準値と、評価値とを照合して、医療チームのメンバーとなる医療スタッフの候補を選定する。
【００１０】
医療チームのタイプは、チームワーク重視タイプ、スキル重視タイプ、スピード重視タイプ、特定症例タイプ、バランス重視タイプ、患者満足タイプ、及びトレーニングタイプのうち、少なくとも１種類を含むことが好ましい。チームワーク重視タイプは、メンバー間のチームワークを重視する。スキル重視タイプは、各メンバーの医療スキルを重視する。スピード重視タイプは、処置時間の短さを重視する。特定症例タイプは、各メンバーの特定の症例に関する専門知識及び経験を重視する。バランス重視タイプは、複数種類のタイプのバランスを重視する。患者満足タイプは、患者からの反応を重視する。トレーニングタイプは、医療スタッフの経験・スキル向上を重視する。
【００１１】
評価項目には、処置可能な診療内容が含まれており、作成条件受付部は、医療チームのタイプに加えて、医療チームが処置する診療内容の入力を受け付け、メンバー選定部は、医療チームのタイプと診療内容に応じた作成条件に基づいて、メンバーを選定することが好ましい。
【００１２】
評価情報は、医療スタッフが過去に担当した診療内容を表す担当履歴と、医療スタッフの能力評価と、過去の医療チームにおける医療スタッフの評価であるチーム評価と、過去の医療チームの他のメンバーとの間の人間関係に関する評価である対人評価と、患者からの評価である患者評価のうち、少なくとも１つを含むことが好ましい。
【００１３】
作成条件受付部が、作成済みの医療チームと、作成済み医療チームから脱退するメンバーとに関する情報を含む再編要求を受け付けた場合には、メンバー選定部は、作成済み医療チームの作成条件と、評価情報及び選定条件とに基づき、脱退メンバーの代わりとなる代替メンバー候補を選定することが好ましい。
【００１４】
医療チームの診療対象である患者の診療情報を取得する診療情報取得部と、診療情報に基づき、患者の容体が急変するリスクがあるリスク日を特定するリスク日特定部とを備えており、メンバー選定部は、リスク日と、医療スタッフのスケジュール情報とに基づいて、リスク日にメンバーの選定が可能か否かを判定し、メンバー選定ができない場合に警告を行うことが好ましい。
【００１５】
医療スタッフのスケジュール情報を取得するスケジュール情報取得部を備えており、作成条件受付部は、医療チームのタイプに加えて、医療チームの活動期間の入力を受け付け、メンバー選定部は、活動期間を含む作成条件と、スケジュール情報とに基づいてメンバーを選定することが好ましい。
【００１６】
本発明の医療チーム作成支援装置の制御方法は、複数の医療スタッフの中から、メンバーを選定して、医療チームを作成する際に、医療チームを作成する作成条件として、医療チームのタイプの入力を受け付ける作成条件受付ステップと、医療スタッフに関する複数の評価項目について評価した評価値を含む評価情報を、医療スタッフ毎に格納する評価情報格納部から、評価情報を読み出す評価情報読み出しステップと、メンバーを選定するために、医療スタッフの評価値と照合される基準値を含む選定条件を医療チームのタイプ別に格納する選定条件格納部から、選定条件を読み出す選定条件読み出しステップと、受け付けたタイプに応じた基準値と、評価値とを照合して、医療チームのメンバーとなる医療スタッフの候補を選定するメンバー選定ステップとを備える。
【００１７】
本発明の医療チーム作成支援プログラムは、作成条件受付ステップと、評価情報読み出しステップと、選定条件読み出しステップと、メンバー選定ステップとをコンピュータに実行させる。
【００１８】
本発明の医療チーム作成支援システムは、医療チームの作成条件を含む作成要求を送信するクライアント端末と、複数の医療スタッフの中から、作成条件に適合するメンバーを選定して医療チームを作成する医療チーム作成支援装置とを備える。医療チーム作成支援装置は、評価情報格納部と、選定条件格納部と、作成条件受付部と、メンバー選定部と、選定したメンバー候補のリストを前記クライアント端末に配信する配信部とを備える。
【発明の効果】
【００１９】
本発明によれば、医療チームの作成を指示する際に、医療チームの特徴に基づいて分類された医療チームのタイプを指定することができるので、作成する医療チームの条件設定が容易である。また、メンバー選定部は、医療スタッフに関する複数の評価項目について評価した評価値を含む評価情報と、医療チームのタイプ毎に基準値が設定された選定条件とを照合して、医療チームのメンバーとなる医療スタッフの候補を選定する。したがって、各メンバーの能力、経験、実績などをチーム作成担当者が考慮しながら、メンバーを一人ずつ選定していく必要がないので、タイプ別の医療チーム作成を簡便に行うことができる。
【図面の簡単な説明】
【００２０】
【図１】医療情報ネットワークシステムの構成図である。
【図２】評価情報の説明図である
【図３】評価情報の具体例を説明する表である。
【図４】選定条件を説明する表である。
【図５】医療チーム作成要請画面の説明図である。
【図６】候補リスト画面の説明図である。
【図７】医療チーム作成支援装置の電気的な構成を示すブロック図である。
【図８】医療チーム作成支援装置のＣＰＵの機能を示すブロック図である。
【図９】メンバー選定の一例を示す説明図である。
【図１０】メンバー選定の別の例を示す説明図である。
【図１１】メンバー選定の手順を示すフローチャートである。
【図１２】メンバーの再編手順を示すフローチャートである。
【図１３】第２実施形態の医療チーム作成支援装置のＣＰＵの機能を示すブロック図である。
【図１４】第２実施形態のメンバー選定の手順を示すフローチャートである。
【発明を実施するための形態】
【００２１】
[第１実施形態]
図１において、医療情報ネットワークシステム１０は、タイプ別の医療チームの作成支援を行う医療チーム作成支援システムである。医療チームとは、医師や看護師などの複数人の医療スタッフをメンバーとして構成されており、患者の診療を複数人のメンバーが連携して行うチーム医療に従事する。また、医療チームのタイプとは、医療チームが有する特徴の分類であり、例えば、チームワーク重視タイプ、スキル重視タイプ、スピード重視タイプ、特定症例タイプ、バランス重視タイプ、患者満足タイプ及びトレーニングタイプなどに分けられている。
【００２２】
医療情報ネットワークシステム１０は、クライアント端末１１、ＨＩＳサーバ１２、医療チーム作成支援装置１３、及びこれらを相互通信可能に接続する通信ネットワーク１４などで構成される。通信ネットワーク１４は、例えば、医療施設内に敷設されたＬＡＮ（Local Area Network）や移動体通信ネットワークである。
【００２３】
クライアント端末１１は、医療スタッフによって使用される複数台の端末装置であり、内科や外科などの診療科に設置された診療科端末と、診察室または診察室から持ち出されて使用される携帯情報端末とを含む。診療科端末には、デスクトップ型またはノート型のコンピュータが用いられる。携帯情報端末には、例えば、スマートフォンやタブレット型端末、ノート型コンピュータなどが用いられる。クライアント端末１１は、患者の診療情報や医用画像の閲覧、診療情報の入力などの他、医療チーム作成支援装置１３に対する医療チームの作成要求にも利用される。
【００２４】
ＨＩＳサーバ１２は、病院情報システム（ＨＩＳ：Hospital Information System）のサーバであり、患者の診療情報などの医療情報を管理する。ＨＩＳサーバ１２は、診療情報格納部１７及びスケジュール情報格納部１８を備える。診療情報格納部１７には、患者毎に作成された複数の診療情報１９が格納されている。診療情報１９は、いわゆる電子カルテ情報であり、患者の氏名、性別、生年月日などの患者基本情報と、患者の傷病名や、患者に施された診察や治療、処置などに関する情報を備える。スケジュール情報格納部１８には、複数の医療スタッフの予定を表すスケジュール情報２０が格納されている。スケジュール情報２０には、勤務予定日及び休日、勤務予定日における予定作業などが時間単位で記録されている。
【００２５】
ＨＩＳサーバ１２は、クライアント端末１１からのアクセスを受け付けて、クライアント端末１１から要求された任意の患者の診療情報１９を配信し、クライアント端末１１から送信された診療情報を診療情報格納部１７に格納する。また、ＨＩＳサーバ１２は、医療チーム作成支援装置１３からの要求に応じて、スケジュール情報２０を送信する。
【００２６】
医療チーム作成支援装置１３は、クライアント端末１１からの作成要求に応じて、タイプ別の医療チームの作成支援を行う装置である。医療チーム作成支援装置１３は、評価情報格納部２２及び選定条件格納部２３を備える。評価情報格納部２２は、医療スタッフ毎に作成された複数の評価情報２４を格納する。評価情報２４には、医療スタッフに関する複数の評価項目について評価した評価値を含む、医療スタッフの評価に関する情報が記録されている。選定条件格納部２３は、医療スタッフの評価値と照合される基準値を含む選定条件２５を、医療チームのタイプ別に格納している。
【００２７】
医療チーム作成支援装置１３は、クライアント端末１１から医療チームの作成条件を含む作成要求を受け付ける。作成条件としては、医療チームのタイプと、医療チームに行わせたい診療の内容と、医療チームの活動期間、医療スタッフの構成及び人数である。医療スタッフの構成及び人数とは、例えば医師、看護師など医療スタッフの属性と、その人数である。医療チーム作成支援装置１３は、作成要求を受け付けると、評価情報格納部２２及び選定条件格納部２３から評価情報２４及び選定条件２５を読み出し、ＨＩＳサーバ１２からスケジュール情報２０を取得する。医療チーム作成支援装置１３は、評価情報２４、選定条件２５及びスケジュール情報２０に基づき、医療チームのメンバーとなる医療スタッフの候補を選定する。選定された医療スタッフのリストである候補リストは、医療チーム作成支援装置１３からクライアント端末１１に配信される。
【００２８】
図２において、医療スタッフ毎に作成された各評価情報２４には、スタッフＩＤ及びスタッフ氏名と、医療スタッフに関する複数の評価項目について評価した評価値を含む情報が記録されている。スタッフＩＤは、各医療スタッフを識別するための識別情報である。医療スタッフに関する評価項目は、例えば、診療内容、能力評価、チーム評価、対人評価及び患者評価などである。
【００２９】
診療内容は、医療スタッフが診療可能な内容に関する複数の評価項目を備える。診療内容の評価項目は、例えば、医療スタッフが所属する診療科や専門分野、過去の担当履歴などである。担当履歴は、具体的な処置名と、処置の難易度及び施術時間からなる。処置の難易度は、医療スタッフの上司により評価された評価値が記録される。評価値は、例えば１０段階評価によって評価されており、評価値が大きいほど難易度が高いことを表している。
【００３０】
能力評価は、医療スタッフの能力に関する複数の評価項目を備える。能力評価の評価項目は、例えば、資格、経験年数、主な実績、能力値などである。実績及び能力値は、医療スタッフの上司により評価された評価値であり、例えば１０段階評価によって評価されている。評価値は、数値が大きいほど能力が高いことを表している。
【００３１】
チーム評価は、医療スタッフが過去に所属していた医療チームの総合的な評価が、例えば１０段階評価された評価値として記録されている。チーム評価の評価値は、例えば医療チームが所属する診療科の責任者によって評価され、数値が大きいほど評価が高かったことを表している。本実施形態では、チーム評価は、医療スタッフがメンバー候補として選定された場合に、その医療スタッフが過去に参加していた医療チームがどのような評価を受けているかを確認するための参考情報として利用されるが、メンバー候補の選定に利用してもよい。
【００３２】
対人評価は、医療スタッフが過去に所属していた医療チームにおける他のメンバーからの人間関係に関する評価が、例えば１０段階評価された評価値として記録されている。評価値は、数値が大きいほど人間関係が良好であったこと、すなわちチームワークが良好であったことを表している。
【００３３】
患者評価は、医療スタッフが過去に担当した患者からの診療内容に対する評価であり、患者が診療行為時の医療スタッフの対応に満足しているかどうかについて、例えば１０段階評価された評価値として記録されている。患者評価は、各患者の個人評価でもよいし、複数の患者からの評価を総合的に判断した全体評価でもよい。
【００３４】
図３において、医師Ｄ１の評価情報２４の具体例を示している。医師Ｄ１は、外科に所属し、心臓を専門分野としている。担当履歴においては、大動脈瘤、心筋梗塞、大動脈弁狭窄症など、過去に担当した処置の難易度及び施術時間が記録されている。また、医師Ｄ１は、心臓血管外科専門医の資格を有し、２０年の経験年数と、それぞれ評価値「９」という実績及び能力値を備えている。チーム評価では、過去に参加したチームが全て評価値「８」以上の評価を得ている。また、対人評価は、全体として普通レベルであり、特に看護師との人間関係では高い評価値を得ていないことがわかる。患者評価は、各患者からの個人評価であり、高評価と普通レベルの評価に二分されている。
【００３５】
なお、医師Ｄ１の評価情報２４について例示したが、その他の医師や看護師などの医療スタッフも同様に評価され、その評価情報が評価情報格納部２２に格納されている。
【００３６】
図４に示すように、選定条件２５は、医療チームのタイプ毎に基準値が設定されている。医療チームのタイプとしては、チームワーク重視タイプ、スキル重視タイプ、スピード重視タイプ、特定症例タイプ、バランス重視タイプ、患者満足タイプ及びトレーニングタイプがある。各タイプの基準値は、医療チームのメンバー候補を選定する際に、評価情報２４の評価値と照合される。
【００３７】
チームワーク重視タイプは、メンバー間のチームワークを重視する医療チームのタイプである。チームワーク重視タイプの基準値は、例えばチームメンバーの相互の対人評価が「７」以上となっている。チームメンバーの相互の対人評価とは、複数人のメンバー候補間それぞれの対人評価が「７」以上であることを示している。例えば、医師Ｄ１、看護師Ｎ１、Ｎ２がチームワーク重視タイプのメンバー候補として選定された場合、医師Ｄ１に対する看護師Ｎ１、Ｎ２の対人評価と、看護師Ｎ１に対する医師Ｄ１、看護師Ｎ２の対人評価と、看護師Ｎ２に対する医師Ｄ１、看護師Ｎ１の対人評価が、それぞれ「７」以上であることを示す。チームワーク重視タイプの医療チームを作成すれば、良好なチームワークでチーム医療を行うことができる。
【００３８】
スキル重視タイプは、各メンバーの医療スキルを重視する医療チームのタイプであり、一定値以上の経験年数及び能力値を選定条件とする。例えば、診療内容が「大動脈瘤」のスキル重視タイプの基準値は、経験年数「１０」年以上、能力値「７」以上となっている。スキル重視タイプの医療チームを作成すれば、各メンバーの高度な医療スキルで信頼性の高いチーム医療を遂行することができる。
【００３９】
スピード重視タイプは、処置時間の短さを重視する医療チームのタイプであり、作成条件として指定された診療内容に対応した担当履歴が選定条件となる。例えば、診療内容が「大動脈瘤」のスピード重視タイプの基準値は、難易度「４」以上の「大動脈瘤」の担当経験が要求される。スピード重視タイプの医療チームを作成すれば、救急患者や、緊急度の高い重病患者などの処置をチーム医療で迅速に行うことができる。
【００４０】
特定症例タイプは、各メンバーの特定の症例に関する専門知識及び経験を重視する医療チームのタイプであり、作成条件として指定された診療内容に対応した医療資格、及び担当履歴が選定条件となる。例えば、診療内容が「大動脈狭窄症」の特定症例タイプの基準値は、医療資格として「心臓血管外科専門医」を保有し、「大動脈狭窄症」の担当経験を有することが要求される。特定症例タイプの医療チームを作成すれば、症例の少ない重病や難病の処置をチーム医療で適切に行うことができる。
【００４１】
患者満足タイプは、患者からの評価を重視する医療チームのタイプである。患者満足タイプの基準値は、例えば、患者評価の平均値が「６」以上である。患者満足タイプの医療チームを作成すれば、患者の満足度を向上させて医療施設に対し高い評価を得ることができる。また、医療スタッフとのトラブルが多い患者を患者満足タイプの医療チームに担当させれば、医療スタッフとのトラブルを少なくすることができる。
【００４２】
トレーニングタイプは、経験・スキルの高い熟練メンバーと、経験・スキルの低い未熟メンバーとを一緒に行動させ、経験・スキルの低いメンバーの経験及びスキルを向上させること重視する医療チームのタイプである。トレーニングタイプの基準値は、例えば、熟練メンバーの経験年数が「１０」年以上、能力値が「７」以上とし、未熟メンバーの経験年数が「５」年未満、能力値が「５」以下となっている。トレーニングタイプの医療チームを作成すれば、熟練メンバーの行動を手本として未熟メンバーを実践的に教育することができる。
【００４３】
バランス重視タイプは、上述した各タイプの特徴をバランスよく備えることを重視する医療チームのタイプであり、バランスさせたいタイプを適宜組み合わせて設定される。例えば、チームワーク重視タイプとスキル重視タイプのバランスを求める場合の基準値としては、チームメンバー相互の対人評価が「５」以上で、かつ経験年数が「７」年以上、及び能力値が「５」以上のように設定される。バランス重視タイプの医療チームを作成すれば、上述した医療チームのタイプをバランスよく備える医療チームでチーム医療を行うことができる。
【００４４】
図５は、クライアント端末１１から医療チーム作成支援装置１３に医療チームの作成要求を行う際に、医療チーム作成支援装置１３からクライアント端末１１に配信される、医療チーム作成要請画面（以下、要請画面という）２８を示す。要請画面２８は、作成する医療チームの作成条件の入力に用いられる。要請画面２８には、要請画面２８の一部を指示するためのポインタ２９が表示され、ポインタ２９は、クライアント端末１１に付属するマウスや入力パッドなどの入力デバイスによって操作される。
【００４５】
要請画面２８には、チームタイプ入力部３１、診療内容入力部３２、活動期間入力部３３、医師人数入力部３４、看護師人数入力部３５、メンバー選定ボタン３６、終了ボタン３７が設けられている。チームタイプ入力部３１には、作成する医療チームのタイプが入力される。チームタイプの入力は、入力欄３１ａ内にキーボードなどで直接入力してもよいし、右端に設けられているリスト表示ボタン３１ｂをポインタ２９で操作してチームタイプのリストを表示させ、表示されたリストから選択してもよい。
【００４６】
診療内容入力部３２は、作成する医療チームに診療させたい内容が入力される。診療内容の入力は、入力欄３２ａ内にキーボードなどで直接入力してもよいし、右端に設けられているリスト表示ボタン３２ｂを操作して診療内容のリストを表示させ、表示されたリストから選択してもよい。
【００４７】
活動期間入力部３３は、作成する医療チームに活動させたい期間が入力される。活動期間の入力は、始期入力欄３３ａ及び終期入力欄３３ｂ内にキーボードなどで直接入力してもよいし、各入力欄３３ａ、３３ｂの右端に設けられているリスト表示ボタン３３ｃ、３３ｄを操作して日付のリストを表示させ、表示されたリストから選択してもよい。
【００４８】
医師人数入力部３４は、作成する医療チームの医師の人数が入力される。医師人数の入力は、入力欄３４ａ内にキーボードなどで直接入力してもよいし、入力欄３４ａの右端に設けられているリスト表示ボタン３４ｂを操作して人数のリストを表示させ、表示されたリストから選択してもよい。看護師人数入力部３５は、作成する医療チームの看護師の人数が入力される。なお、入力手順は医師人数入力部３４と同様であるため、詳しい説明は省略する。
【００４９】
メンバー選定ボタン３６は、各入力部３１〜３５に入力した作成条件で、医療チーム作成支援装置１３にメンバー選定を行わせる場合に操作される。メンバー選定ボタン３６が操作されると、クライアント端末１１から医療チーム作成支援装置１３に、作成条件を含む作成要求が送信される。終了ボタン３７は、医療チームの作成を途中で終了する場合に操作される。
【００５０】
図６は、医療チーム作成支援装置１３で医療チームのメンバー候補が選定された場合に、医療チーム作成支援装置１３からクライアント端末１１に対し、メンバー候補の候補リストと一緒に配信される候補リスト画面４０を示す。候補リスト画面４０には、メンバー候補の候補リスト４１と、この候補リスト４１の選定条件とされた作成条件４２と、チーム作成ボタン４３、戻るボタン４４及び終了ボタン３７とが表示される。候補リスト４１には、選定された医療スタッフの氏名と所属診療科とが表示される。作成条件４２には、要請画面２８で入力された作成条件が確認のために表示される。チーム作成ボタン４３は、選定された医療スタッフで医療チームを作成する場合に操作される。医療チーム作成支援装置１３は、チーム作成ボタン４３が操作されると、選定した医療スタッフからなる医療チームに関する情報を、チーム情報格納部５１（図８参照）に格納する。戻るボタン４４は、要請画面２８に戻って作成条件を入力し直す場合に操作される。
【００５１】
図７において、医療チーム作成支援装置１３は、コンピュータにオペレーティングシステムなどの制御プログラムや、コンピュータを医療チーム作成支援装置として機能させるためのアプリケーションプログラム（ガイダンス情報配信プログラムと呼ぶ）１３Ｈをインストールして構成される。医療チーム作成支援装置１３は、ディスプレイ１３Ａの他、入力デバイス１３Ｂ、ＣＰＵ１３Ｃ、メモリ１３Ｄ、ストレージデバイス１３Ｅ、通信Ｉ／Ｆ１３Ｆが設けられており、これらはデータバス１３Ｇを介して接続されている。
【００５２】
入力デバイス１３Ｂは、キーボード、マウス、ディスプレイ１３Ａと一体となったタッチパネルなどである。ストレージデバイス１３Ｅは、各種データを格納するデバイスであり、例えば、ハードディスクドライブで構成される。ストレージデバイス１３Ｅは、制御プログラムや、医療チーム作成支援プログラム１３Ｈと、評価情報格納部２２及び選定条件格納部２３とが格納される。
【００５３】
メモリ１３Ｄは、ＣＰＵ１３Ｃが処理を実行するためのワークメモリである。ＣＰＵ１３Ｃは、ストレージデバイス１３Ｅに格納された制御プログラム及び医療チーム作成支援プログラム１３Ｈをメモリ１３Ｄへロードして、プログラムに従った処理を実行することにより、コンピュータの各部を統括的に制御する。通信Ｉ／Ｆ１３Ｆは、通信ネットワーク１４に接続して通信するための通信インタフェースである。
【００５４】
図８において、ＣＰＵ１３Ｃは、医療チーム作成支援プログラム１３Ｈを起動すると、メモリ１３Ｄなどコンピュータの各部と協働して、作成条件受付部４７、スケジュール情報取得部４８、メンバー選定部４９及び配信部５０として機能する。また、ストレージデバイス１３Ｅには、候補リスト画面４０でチーム作成ボタン４３が操作された場合に、作成された医療チームのメンバーに関する情報と、作成条件とを含むチーム情報が格納されるチーム情報格納部５１が設けられている。
【００５５】
作成条件受付部４７は、クライアント端末１１から、医療チームの作成条件を含む作成要求を受け付け、メンバー選定部４９及びスケジュール情報取得部４８に作成要求を入力する。作成条件受付部４７から作成要求が入力されると、メンバー選定部４９は、評価情報格納部２２及び選定条件格納部２３から評価情報２４及び選定条件２５を読み出す。また、スケジュール情報取得部４８は、ＲＩＳサーバ１２のスケジュール情報格納部１８から医療スタッフのスケジュール情報２０を取得し、メンバー選定部４９に入力する。
【００５６】
メンバー選定部４９は、入力された作成条件及びスケジュール情報２０と、読み出した評価情報２４及び選定条件２５とに基づいて、作成条件に適合する医療チームのメンバー候補を、複数人の医療スタッフの中から選定する。配信部５０は、選定されたメンバー候補の候補リストをクライアント端末１１に配信する。
【００５７】
図９は、医療チーム作成支援装置１３が、入力された作成条件に応じて、医師Ｄ１〜Ｄ３と看護師Ｎ１〜Ｎ３の中からメンバー候補を選定する状態を示している。医師Ｄ１〜Ｄ３及び看護師Ｎ１〜Ｎ３の枠内には、それぞれの評価情報２４が表示されている。医療チーム作成支援装置１３に入力された作成条件は、チームの種類が「スキル重視タイプ」、診療内容が「大動脈瘤」、活動期間が「２０１４／０３／２５〜２０１４／０３／２８」、医師の人数が「１人」、看護師の人数が「２人」である。図４において、スキル重視タイプの選定条件２５は、経験年数が「１０年」以上、能力値が「７」以上である。したがって、医療チーム作成支援装置１３は、医師Ｄ１〜Ｄ３及び看護師Ｎ１〜Ｎ３の中から、「大動脈瘤」の担当履歴があり、経験年数が「１０年」以上でかつ能力値が「７」以上であって、指定された活動期間中に予定が空いている医師及び看護師として、医師Ｄ１と、看護師Ｎ２及びＮ３を選定する。
【００５８】
また、図１０の例示において、作成条件で指定されたチームの種類が「患者満足タイプ」、診療内容が「虫垂炎」、活動期間が「２０１４／０３／２５〜２０１４／０３／２８」、医師の人数が「１人」、看護師の人数が「２人」とする。患者満足タイプの基準値は、患者評価の平均値が「６」以上である。この場合、医師Ｄ１〜Ｄ３及び看護師Ｎ１〜Ｎ３は、全員が担当履歴として虫垂炎を経験しているため、患者評価の平均値が６以上の医師Ｄ１、医師Ｄ３、看護師Ｎ１〜Ｎ３が候補となる。しかし、最終的にメンバー候補として選定されるのは、活動期間中に予定の空いている医師Ｄ３、看護師Ｎ１、看護師Ｎ３となる。
【００５９】
上記構成による作用について、図１１に示すフローチャートに従って説明する。医療チームの作成担当者は、医療チームの作成が必要になった場合、クライアント端末１１から医療チーム作成支援装置１３にアクセスして医療チームの作成を開始する。医療チーム作成支援装置１３は、クライアント端末１１に対し、図５に示す要請画面２８を配信する。作成担当者は、要請画面２８のチームタイプ入力部３１、診療内容入力部３２、活動期間入力部３３、医師人数入力部３４及び看護師人数入力部３５に対し、医療チームの作成条件として、医療チームのタイプ、医療チームに診療させたい診療内容、活動期間、医師及び看護師の人数を入力し、メンバー選定ボタン３６を操作する。メンバー選定ボタン３６が操作されると、クライアント端末１１から医療チーム作成支援装置１３に対し、作成条件を含む作成要求が送信される（Ｓ１０）。
【００６０】
作成条件受付部４７は、クライアント端末１１から、医療チームの作成条件を含む作成要求を受け付け、メンバー選定部４９及びスケジュール情報取得部４８に作成要求を入力する。作成条件受付部４７から作成要求が入力されると、メンバー選定部４９は、選定条件格納部２３及び評価情報格納部２２から、選定条件２５及び評価情報２４を読み出す（Ｓ１１、Ｓ１２）。また、スケジュール情報取得部４８は、ＲＩＳサーバ１２のスケジュール情報格納部１８から、医療スタッフのスケジュール情報２０を取得し、メンバー選定部４９に入力する（Ｓ１３）。
【００６１】
メンバー選定部４９は、入力された作成条件及びスケジュール情報２０と、読み出した評価情報２４及び選定条件２５とに基づいて、作成条件に適合する医療チームのメンバー候補を、複数人の医療スタッフの中から選定する（Ｓ１４）。図９に示すように、入力された作成条件のチームタイプ、診療内容、活動期間、医師及び看護師の人数が、それぞれ「スキル重視タイプ」、「大動脈瘤」、「２０１４／０３／２５〜２０１４／０３／２８」、医師人数「１人」、看護師人数「２人」である場合、スキル重視タイプの基準値（経験年数「１０年」以上、能力値「７」以上）に基づいて、医師Ｄ１、看護師Ｎ２及び看護師Ｎ３がメンバー候補として選定される。配信部５０は、選定されたメンバー候補の候補リストと、図６に示す候補リスト画面４０とをクライアント端末１１に配信する（Ｓ１５）。
【００６２】
医療チームの作成担当者は、候補リスト画面４０において候補メンバーを確認し、選定された候補メンバーで医療チームを作成する場合には、チーム作成ボタン４３を操作する。メンバー選定部４９は、作成が指示された医療チームのメンバーに関する情報と、作成条件とを含むチーム情報をチーム情報格納部５１に格納する。また、選定された候補メンバーに納得できない場合には、医療チームの戻るボタン４４を操作して、候補リスト画面４０から要請画面２８に戻り、作成条件の入力をやり直すこともできる。
【００６３】
以上で説明したように、医療チームの作成を指示する際に、医療チームの特徴に基づいて分類された医療チームのタイプを指定することができるので、作成する医療チームの条件設定が容易である。また、メンバー選定部４９は、医療スタッフに関する複数の評価項目について評価した評価値を含む評価情報２４と、医療チームのタイプ毎に基準値が設定された選定条件２５とを照合して、医療チームのメンバーとなる医療スタッフの候補を選定する。したがって、各メンバーの能力、経験、実績などをチーム作成担当者が考慮しながら、メンバーを一人ずつ選定していく必要がないので、タイプ別の医療チーム作成を簡便に行うことができる。
【００６４】
また、医療チームのタイプとして、メンバー間のチームワークを重視するチームワーク重視タイプ、各メンバーの医療スキルを重視するスキル重視タイプ、処置時間の短さを重視するスピード重視タイプ、各メンバーの特定の症例に関する専門知識及び経験を重視する特定症例タイプ、複数種類のタイプを備えるバランス重視タイプ、患者からの反応を重視する患者満足タイプ、医療スタッフの経験・スキル向上を重視するトレーニングタイプなど、さまざまな医療チームタイプを指定できるので、目的に応じた特徴と有する医療チームを簡便に作成することができる。
【００６５】
さらに、医療スタッフの評価情報２４として、医療スタッフが過去に担当した診療内容を表す担当履歴と、医療スタッフの能力評価と、過去の医療チームにおける医療スタッフの評価であるチーム評価と、過去の医療チームの他のメンバーとの間の人間関係に関する評価である対人評価と、患者からの評価である患者評価を備え、これらの評価に基づいてメンバーを選定するので、医療チームのタイプに適合した医療スタッフを選定することができる。
【００６６】
以下、本発明の第２、第３実施形態について説明する。なお、第１実施形態と同じ構成については同符号を使用し、詳しい説明は省略する。
【００６７】
［第２実施形態］
第１実施形態では、新たな医療チームを作成する場合について説明したが、さまざまな事情により作成済みの医療チームからメンバーが脱退する場合があり、このような場合には、脱退したメンバーに代わる新たなメンバーを選定する必要が生じる。本実施形態は、脱退メンバーに代わる代替メンバーの選定について説明する。
【００６８】
図８及び図１２において、作成条件受付部４７は、クライアント端末から、作成済みの医療チームの指定と、この医療チームから脱退するメンバーとに関する情報を含む再編要求を受け付ける（Ｓ２０）。メンバー選定部４９は、再編要求で指定された医療チームに関するチーム情報をチーム情報格納部５１から読み出す（Ｓ２１）。また、メンバー選定部４９は、選定条件格納部２３及び評価情報格納部２２から、選定条件２５及び評価情報２４を読み出す（Ｓ２２、Ｓ２３）。スケジュール情報取得部４８は、ＨＩＳサーバ１２から医療スタッフのスケジュール情報を取得する（Ｓ２４）。
【００６９】
メンバー選定部４９は、読み出したチーム情報に含まれている医療チームの作成条件と、読み出した選定条件２５、評価情報２４及びスケジュール情報２０に基づいて、脱退するメンバーに代わる代替メンバー候補を選定する（Ｓ２５）。配信部５０は、代替メンバーに関する情報をクライアント端末１１に配信する（Ｓ２６）。
【００７０】
以上で説明したように、作成済みの医療チームからメンバーが脱退する場合に、代替メンバーを選定することができるので、活動中の医療チームを有効に利用することができ、チーム医療の効率低下を防ぐことができる。
【００７１】
［第３実施形態］
第１実施形態では、作成条件として設定された活動期間に活動可能な医療スタッフをメンバー候補として選定しているが、医療チームの作成目的となる処置の内容によっては、処置を終えた後に命の危険を伴う合併症を発症する場合がある。例えば、肝臓ガンの手術では、胆汁漏、胸水、腹水、肝不全、脳合併症（脳梗塞、脳出血など）、肺合併症（肺炎、無気肺など）、心臓合併症（心不全、心筋梗塞、狭心症など）、下肢静脈血栓症、肺塞栓症、及び出血などの合併症が発生する可能性がある。これらの合併症のうち、特に、「肝不全」、「脳合併症」、「肺合併症」、「心臓合併症」、及び「出血」が発生すると、命の危険を伴うリスクがあると考えられている。このような、合併症の発症による容体急変を考慮した場合、作成条件で指定された活動期間だけでなく、その後の容体急変が発生する期間まで考慮してメンバー候補を選定する必要がある。本実施形態は、処置後の容体急変までを考慮したメンバー選定に関する。なお、以下では、容体急変が発生するリスクのある日をリスク日といい、得にリスク度の高い日を高リスク日という。
【００７２】
図１３に示す医療チーム作成支援装置６０は、医療チームのメンバー候補を選定する際に、ＨＩＳサーバ１２から、医療チームの診療対象である患者の診療情報１９を取得する診療情報取得部６１と、取得した診療情報１９に基づき、患者の容体急変が発生するリスク度が高くなる高リスク日を特定する高リスク日特定部６２とを備えている。
【００７３】
高リスク日特定部６２は、処置や傷病の種類毎に、容体急変が発生しやすい時期をデータベースに格納している。例えば、手術後に容体急変が発生しやすい時期として、「疼痛(痛み)は手術当日から６日目」、「ショックは当日から３日目」、「感染のリスクは当日から３日目」、「無呼吸などの呼吸器合併症は当日から３日目」、「術後の出血は当日から３日目」、「深部静脈血栓は当日から７日目」、「腸閉塞は３日目から７日目」、「縫合不全は３日目から７日目」などである。これらの容体急変が発症しやすいかどうかは、事前の検査及び患者の診療情報１９からある程度まで把握することできる。
【００７４】
高リスク日特定部６２は、医療チームによって行われる処置の内容と、診療情報１９、及び患者の検査情報などから、上述した容体急変の発生リスクを特定する。例えば、作成条件として設定された診療内容が、「肝臓ガンの手術」である場合、上述した肝臓ガンの合併症のうち、「出血」が手術当日から３日経過するまではあり得るため、高リスク日特定部６２は、この３日間を高リスク日として特定し、メンバー選定部４９に入力する。メンバー選定部４９は、作成条件として設定された活動期間に、高リスク日の３日間を加えて、合併症に対処可能なメンバー選定が可能か否かを判定する。
【００７５】
図１４に基づき、上記構成の作用について説明する。医療チーム作成支援装置６０は、クライアント端末１１から作成条件を受け付けて（Ｓ１０）、選定条件２５、評価情報２４、スケジュール情報２０を取得（Ｓ１１〜Ｓ１３）した後、診療情報取得部６１により、ＨＩＳサーバ１２から、医療チームの診療対象である患者の診療情報１９を取得する（Ｓ３０）。
【００７６】
高リスク日特定部６２は、作成条件で指定された処置の種類と、診療情報１９から特定した患者の検査情報などから、処置後に容体急変の発生リスクが高くなる高リスク日があるか否か、また高リスク日が処置後何日間かを特定する（Ｓ３１）。高リスク日特定部６２において、高リスク日があると特定された場合（Ｓ３１でＹＥＳ）、メンバー選定部４９は、作成条件で設定された活動期間に、高リスク日として特定された期間を加えて、合併症に対処可能なメンバー選定が可能か否かを判定する（Ｓ３２）。メンバー選定部４９は、メンバー選定不可能と判定した場合（Ｓ３２でＮＯ）、クライアント端末１１に警告を送信する（Ｓ３３）。
【００７７】
本実施形態によれば、処置後の患者の容体急変まで考慮してメンバー編成を行うことができるので、患者の容体が急変した場合でも適切に処置を行うことができる。また、メンバー編成ができない場合には、警告を行うので、処置の日程を変更するなどして対応することができ、患者の容体急変時のリスクを低減することができる。
【００７８】
上記各実施形態では、医療チームのメンバーとして、医師と看護師を選定する例について説明したが、検査技師や放射線技師など、その他の医療スタッフの選定を行うこともできる。また、医師及び看護師を同じ作成条件に基づいて選定したが、医師と看護師とで、作成条件を異ならせてもよい。また、医療チームのタイプや、医療スタッフの評価項目、選定条件などは、上述した例に限定されるものではなく、上記各実施形態では記載していない医療チームのタイプ、評価項目、選定条件を加えてもよい。
【００７９】
さらに、上記実施形態では、医療チーム作成支援装置１３を個別に設けたが、ＨＩＳサーバ１２に医療チーム作成支援装置１３の機能を設けてもよい。また、評価情報格納部２２及び選定条件格納部２３を医療チーム作成支援装置１３に設けたが、医療施設内または医療施設外の別のサーバに設けてもよい。
【符号の説明】
【００８０】
１０  医療情報ネットワークシステム
１１  クライアント端末
１２  ＨＩＳ
１３、６０  医療チーム作成支援装置
１３Ｈ  医療チーム作成支援プログラム
１９  診療情報
２０  スケジュール情報
２２  評価情報格納部
２３  選定条件初格納部
２４  評価情報
２５  選定条件
２８  医療チーム作成要請画面
４０  候補リスト画面
４７  作成条件受付部
４８  スケジュール情報取得部
４９  メンバー選定部
６１  診療情報取得部
６２  高リスク特定部
【図１】
2015197734.tif 000003
【図２】
2015197734.tif 000004
【図３】
2015197734.tif 000005
【図４】
2015197734.tif 000006
【図５】
2015197734.tif 000007
【図６】
2015197734.tif 000008
【図７】
2015197734.tif 000009
【図８】
2015197734.tif 000010
【図９】
2015197734.tif 000011
【図１０】
2015197734.tif 000012
【図１１】
2015197734.tif 000013
【図１２】
2015197734.tif 000014
【図１３】
2015197734.tif 000015
【図１４】
2015197734.tif 000016